(57)【要約】【課題】施工タイミングの自由度を向上させることが可能となり、また、施工の手間や費用を削減することが可能となり、さらに、施工作業の危険性を低下させることが可能となる壁材取付用部材を提供すること。【解決手段】スラブ筋２２よりも下方に位置する設置土台２１に対して設置可能な土台部１１と、土台部１１に対して上方に突出するように取り付け可能な突出部１２と、を備え、突出部１２は、スラブ筋２２を覆うコンクリート材２３の上方の空間側に露出する露出部１２１であって、壁材を取付可能な露出部１２１を有しており、露出部１２１と土台部１１との距離を調節可能であり、露出部１２１は平板であって、平板に対して鉛直断面視Ｌ字型の壁材固定具を介して壁材を取付可能である。【選択図】図２
2019023413.tif 000002
【特許請求の範囲】
【請求項１】
スラブ筋よりも下方に位置する設置土台に対して設置可能な土台部と、
前記土台部に対して上方に突出するように取り付け可能な突出部と、を備え、
前記突出部は、前記スラブ筋を覆うスラブコンクリートの上方の空間側に露出する露出部であって、壁材を取付可能な露出部を有する、
壁材取付用部材。
【請求項２】
前記露出部と前記土台部との距離を調節可能である、
請求項１に記載の壁材取付用部材。
【請求項３】
前記露出部は平板であって、当該平板に対して鉛直断面視Ｌ字型の壁材固定具を介して壁材を取付可能である、
請求項１又は２に記載の壁材取付用部材。
【発明の詳細な説明】
【技術分野】
【０００１】
本発明は、壁材取付用部材に関する。
【背景技術】
【０００２】
従来、ＡＬＣボードを設置する際には、固化したコンクリートスラブに孔を空けて、この孔に設置したＡＬＣボード取付用金具にＡＬＣボードを取付ける後付け工法が提案されている（例えば、特許文献１参照）。しかし、このような後付け工法ではコンクリートに孔を空けるので、スラブの強度が低下する可能性がある。この強度低下を防止するために、コンクリート打設前から予めＡＬＣボード取付用金具を設置しておく先付工法も提案されている。このような先付工法では、ＡＬＣボード取付用金具をスラブ筋に対して上方に突出するように溶接し、コンクリート打設後に、コンクリート上面に突出しているＡＬＣボード取付用金具に対してＡＬＣボードを設置していた。
【先行技術文献】
【特許文献】
【０００３】
【特許文献１】特開２００５−２００９８４号公報
【発明の概要】
【発明が解決しようとする課題】
【０００４】
しかしながら、このような方法では、スラブ筋を配筋するまでＡＬＣボード取付用金具を設置することができず、施工手順がスラブ筋の配筋後に限定されてしまっていた。また、スラブ筋に複数のＡＬＣボード取付用金具を溶接する必要があるため、溶接に手間や費用を要すると共に、スラブ筋上での溶接作業となるため施工性低下及び施工時の危険性上昇の可能性があった。そこで、施工タイミングがスラブ筋の配筋後に限定されることなく、また、溶接に要する手間や費用を削減でき、さらに、施工性向上及び危険性低下が可能なＡＬＣボード取付用金具が要望されていた。
【０００５】
本発明は上記事実に鑑み、施工タイミングの自由度を向上させることが可能となり、また、施工の手間や費用を削減することが可能となり、さらに、施工作業の危険性を低下させることが可能となる壁材取付用部材を提供することを目的とする。
【課題を解決するための手段】
【０００６】
上述した課題を解決し、目的を達成するために、請求項１に記載の壁材取付用部材は、スラブ筋よりも下方に位置する設置土台に対して設置可能な土台部と、前記土台部に対して上方に突出するように取り付け可能な突出部と、を備え、前記突出部は、前記スラブ筋を覆うスラブコンクリートの上方の空間側に露出する露出部であって、壁材を取付可能な露出部を有する。
【０００７】
請求項２に記載の壁材取付用部材は、請求項１に記載の壁材取付用部材において、前記露出部と前記土台部との距離を調節可能である。
【０００８】
請求項３に記載の壁材取付用部材は、請求項１又は２に記載の壁材取付用部材において、前記露出部は平板であって、当該平板に対して鉛直断面視Ｌ字型の壁材固定具を介して壁材を取付可能である。
【発明の効果】
【０００９】
請求項１に記載の壁材取付用部材によれば、土台部を設置土台に対して設置できるので、スラブ筋を施工済であるか否かに関わらず壁材取付用部材を施工することができ、施工タイミングの自由度を向上させることが可能となる。特に、スラブ筋が施工されていない状態で壁材取付用部材の施工を行うことができるので、施工スペースを広くとることができ、施工作業の危険性を低下させることが可能となる。また、スラブ筋が邪魔になることを防止できるので、施工の手間を削減することが可能となる。また、施工の手間を削減することができるので、施工作業の作業時間を短縮することができ、施工費用を削減することが可能となる。
【００１０】
請求項２に記載の壁材取付用部材によれば、スラブコンクリートと露出部との相互間の高さ関係を調整することができるので、スラブコンクリートと露出部との相互間の高さを容易に一致させることができ、壁材取付用部材の施工性を一層向上させることが可能となる。
【００１１】
請求項３に記載の壁材取付用部材によれば、鉛直断面視Ｌ字型の壁材固定具を用いて壁材を取り付けることができるので、壁材の取付強度を向上させることが可能となる。
【図面の簡単な説明】
【００１２】
【図１】本実施の形態に係る壁材取付用部材を示す分解斜視図である。
【図２】壁材取付用部材が設けられている状態のスラブの断面図である。
【図３】壁材取付用部材が設けられている状態のスラブの平面図である。
【図４】図１の壁材取付用部材の拡大図である。
【発明を実施するための形態】
【００１３】
以下に添付図面を参照して、この発明に係る壁材取付用部材の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１４】
〔Ｉ〕実施の形態の基本的概念
まず、実施の形態の基本的概念について説明する。実施の形態は、概略的に、壁材取付用部材に関する。
【００１５】
ここで、「壁材取付用部材」とは、壁材を取り付けるための取付手段であり、具体的には、壁材を建物のスラブに取り付ける場合に用いられるものであり、例えば、土台部と、突出部とを備えるものである。
【００１６】
なお、「壁材」とは、建物の壁を形成する部材であり、具体的には、スラブに取り付けられるものであり、例えば、ＡＬＣ（Ａｕｔｏｃｌａｖｅｄ  Ｌｉｇｈｔｗｅｉｇｈｔ  ａｅｒａｔｅｄ  Ｃｏｎｃｒｅｔｅ：高温高圧蒸気養生された軽量気泡コンクリート）パネルにより形成された部材、又は、ＡＬＣパネル以外の任意の材料により形成された部材等を含む概念である。「スラブ」とは、建物の床構造を形成するものであり、例えば、少なくとも、設置土台、及びスラブ筋を備えるものであり、一例としては、これらの要素に加えてコンクリートを備えるコンクリートスラブ、あるいは、これらの要素に加えてコンクリート以外の任意の建材を備えるスラブ等を含む概念である。「設置土台」とは、スラブの土台となるものであり、例えば、任意の材料で形成されるデッキスラブ、あるいは、梁鉄骨等を含む概念である。「スラブ筋」とは、スラブに設けられる鉄筋であり、例えば、設置土台よりも上方において、設置土台に対して平行に設けられるもの等を含む概念である。
【００１７】
また、「土台部」とは、壁材取付用部材の一部であり、具体的には、スラブ筋よりも下方に位置する設置土台に対して設置可能な部分である。
【００１８】
また、「突出部」とは、壁材取付用部材の一部であり、具体的には、土台部に対して上方に突出するように取り付け可能な部分であり、例えば、露出部を備えるものである。「露出部」とは、突出部の一部であり、具体的には、スラブ筋を覆うスラブコンクリートの上方の空間側に露出する部分であって、壁材を取付可能な部分である。
【００１９】
そして、以下に示す実施の形態では、「壁材」がＡＬＣパネルであり、「スラブ」がコンクリートスラブである場合について説明する。
【００２０】
〔ＩＩ〕実施の形態の具体的内容
次に、実施の形態の具体的内容について説明する。
【００２１】
（構成）
まず、本実施の形態に係る壁材取付用部材の構成について説明する。図１は、本実施の形態に係る壁材取付用部材を示す分解斜視図であり、図２は、壁材取付用部材が設けられている状態のスラブの断面図であり、図３は、壁材取付用部材が設けられている状態のスラブの平面図である。
【００２２】
なお、図１のスラブ２００については、図２のコンクリート材２３の打設前のスラブ２００を図示している。また、図２は、図１のＡ‐Ａ矢印が指し示す位置に対応する位置の断面図であるが、説明の便宜上、コンクリート材２３のハッチングが省略されており、また、各要素が実線で示されている。なお、実際には、スラブ２００に対して壁材取付用部材１００が複数設けられるが、説明の便宜上、図１では壁材取付用部材１００が１個図示されており、また、図２及び図３では壁材取付用部材１００が２個図示されている。以下の説明では、壁材取付用部材１００については、複数であることを明示する必要がある場合にのみ明示し、これ以外の場合には、１個の壁材取付用部材１００について着目して説明する。
【００２３】
そして、以下では、スラブ２００、壁材３００、及び壁材固定具４００について説明した後、壁材取付用部材１００について説明する。
【００２４】
（構成‐スラブ）
図２及び図３のスラブ２００は、図１の壁材３００が設けられる床構造である。このスラブ２００の具体的な種類や構成は任意であり、例えば、壁材取付用部材１００が設けられる点を除いて従来と同様に構成することができるので、概略のみ説明する。スラブ２００は、例えば、設置土台２１、スラブ筋２２、及びコンクリート材２３を備える。
【００２５】
（構成‐スラブ‐設置土台）
設置土台２１は、スラブ２００の土台となるものであり、例えば、全体としてＸＹ平面に沿って広がっているものであり、また、Ｘ方向において山部及び谷部を繰り返す段形状のものであり、また、金属製のものである。
【００２６】
（構成‐スラブ‐スラブ筋）
スラブ筋２２は、スラブ２００を補強するものであり、例えば、設置土台２１よりも上方（＋Ｚ方向）に設けられているものであり、また、相互に直交するように複数設けられているものであり、また、金属製のものである。
【００２７】
（構成‐スラブ‐コンクリート材）
コンクリート材２３は、スラブ筋２２を覆うスラブコンクリートであり、例えば、設置土台２１よりも上方（＋Ｚ方向）に設けられているものであり、また、スラブ筋２２の下方（−Ｚ方向）から当該スラブ筋２２の上方（＋Ｚ方向）にわたっているものであり、また、コンクリートを打設することにより形成されるものである。
【００２８】
（構成‐壁材）
図１の壁材３００は、建物の壁を形成するものである。この壁材３００の具体的な種類や構成は任意であり、例えば、取り付けられ方を除いて従来と同様に構成することができるが、例えば、矩形の形状のものであり、また、ＡＬＣパネルにより形成されたものである。
【００２９】
（構成‐壁材固定具）
図１の壁材固定具４００は、壁材３００をスラブ２００に取り付けるためのものである。この壁材固定具４００の具体的な種類や構成は任意であり、例えば、取り付けられ方を除いて従来と同様に構成することができるが、例えば、鉛直断面視Ｌ字型のものであり、また、金属製のものである。
【００３０】
（構成‐壁材取付用部材）
図４は、図１の壁材取付用部材の拡大図である。図４の壁材取付用部材１００は、壁材３００をスラブ２００に取り付けるためのものであり、具体的には、壁材固定具４００を介して取り付けるためのものであり、例えば、土台部１１、突出部１２、及びナット部１３を備える。
【００３１】
（構成‐壁材取付用部材‐土台部）
土台部１１は、スラブ筋２２よりも下方（−Ｚ方向）に位置する設置土台２１に対して設置可能なものである。この土台部１１の具体的な種類や構成は任意であり、例えば、金属製のものであり、一例としては、基部１１１、及び円筒部１１２を備える。
【００３２】
（構成‐壁材取付用部材‐土台部‐基部）
基部１１１は、例えば、設置土台２１に溶接される部分であり、円盤形状の部分である。
【００３３】
（構成‐壁材取付用部材‐土台部‐円筒部）
円筒部１１２は、例えば、突出部１２が取り付けられる部分であり、また、基部１１１の中央付近から高さ方向（Ｚ方向）において上方（＋Ｚ方向）に突出してものであり、また、突出部１２と螺合するネジ山が内面に形成されている螺合中空部１１２ａを備えるものである。また、この円筒部１１２の長さは任意であるが、例えば、施工性向上の観点から、図２に示すように、設置土台２１の上面からスラブ筋２２までの距離よりも短く設定されている。
【００３４】
（構成‐壁材取付用部材‐突出部）
突出部１２は、土台部１１に対して上方（＋Ｚ方向）に突出するように取り付け可能な部分である。この突出部１２の具体的な種類や構成は任意であり、例えば、金属製のものであり、一例としては、露出部１２１、及びボルト部１２２を備える。
【００３５】
（構成‐壁材取付用部材‐突出部‐露出部）
露出部１２１は、スラブ筋２２を覆うコンクリート材２３の上方（＋Ｚ方向）の空間側に露出する部分であって、壁材３００を取付可能な部分であり、具体的には、壁材固定具４００を介して壁材３００を取付可能な部分である。露出部１２１は、例えば、矩形形状の部分であり、また、ＸＹ平面に平行な平板である。
【００３６】
（構成‐壁材取付用部材‐突出部‐ボルト部）
ボルト部１２２は、例えば、土台部１１に取り付けられる部分であり、また、露出部１２１の中央付近から高さ方向（Ｚ方向）において下方（−Ｚ方向）に突出してものであり、また、土台部１１の円筒部１１２と螺合するネジ山、つまり、土台部１１の円筒部１１２の螺合中空部１１２ａのネジ山に対応するネジ山が形成されているものである。そして、特に、ボルト部１２２が円筒部１１２の螺合中空部１１２ａと螺合するので、ボルト部１２２及び円筒部１１２を相互に回転させることにより、これらの各部が高さ方向（Ｚ軸方向）において相対的に移動することになり、つまり、露出部１２１と土台部１１との距離が調節可能となっている。また、このボルト部１２２の長さは任意であるが、例えば、突出部１２を土台部１１に取りつけた場合に露出部１２１の上面をコンクリート材２３の上面に一致させ得るという観点から、比較的長く設定されている。
【００３７】
（構成‐壁材取付用部材‐ナット部）
ナット部１３は、土台部１１と突出部１２とを相互に固定する固定手段である。このナット部１３の具体的な種類や構成は任意であり、例えば、突出部１２のボルト部１２２と螺合するネジ山、つまり、突出部１２のボルト部１２２のネジ山に対応するネジ山が内面に形成されている螺合孔１３ａが形成されているものである。
【００３８】
（壁材の取り付け）
次に、このように構成される壁材取付用部材１００を設けてスラブ２００を形成し、この壁材取付用部材１００を用いて壁材３００をスラブ２００に取り付ける手法について説明する。なお、実際には、壁材取付用部材１００を複数設けて、この複数の壁材取付用部材１００を用いて壁材３００を取り付けることになるが、複数の壁材取付用部材１００の具体的な設け方は相互に同様であるので、代表して１つの壁材取付用部材１００の設け方について説明する。
【００３９】
まず、建物の床構造となる位置に図２の設置土台２１を構築し、壁材取付用部材１００の土台部１１を設置土台２１に設置する。この設置土台２１の設置手法は任意であるが、例えば、設置土台２１の基部１１１を設置土台２１の山部に溶接することにより固定して設置する。
【００４０】
次に、スラブ筋２２を配筋する。具体的には任意であるが、例えば、設置土台２１の円筒部１１２よりも僅かに上方（＋Ｚ方向）に配筋する。
【００４１】
次に、図１の突出部１２にナット部１３を設ける。具体的には任意であるが、例えば、ナット部１３の螺合孔１３ａに突出部１２のボルト部１２２を合わせた上で、ナット部１３をボルト部１２２に対して回転させることにより、ナット部１３をボルト部１２２の長手方向に沿って露出部１２１側に移動させて当該ボルト部１２２の中央付近にナット部１３を螺合する。
【００４２】
次に、図２の土台部１１に突出部１２を取り付ける。具体的には任意であるが、例えば、土台部１１の円筒部１１２の螺合中空部１１２ａに突出部１２のボルト部１２２を合わせた上で、ボルト部１２２を土台部１１の円筒部１１２に対して回転させることにより、突出部１２を高さ方向（Ｚ方向）において移動させて土台部１１にボルト部１２２を螺合する。詳細には、前述したように、突出部１２のボルト部１２２の外面のネジ山と土台部１１の円筒部１１２の螺合中空部１１２ａの内面のネジ山とが相互に対応しているので、ボルト部１２２の円筒部１１２に対する回転方向を変更することにより、突出部１２を上方（＋Ｚ方向）又は下方（−Ｚ方向）に移動させることが可能となっているが、この構成を利用して位置決めを行って螺合する。より詳細には、ボルト部１２２を円筒部１１２に対して回転させることにより、突出部１２の露出部１２１の上面が、後に設けられるコンクリート材２３の上面と一致する（つまり、各上面が同じ高さになる）ように位置決めを行って、土台部１１に突出部１２を螺合する。
【００４３】
次に、土台部１１に突出部１２を固定する。具体的には任意であるが、例えば、突出部１２のボルト部１２２に設けられているナット部１３を回転させて露出部１２１の反対側に移動させて、土台部１１の円筒部１１２の上端に押し付ける。この場合、突出部１２が、当該突出部１２のボルト部１２２に設けられているナット部１３の土台部１１の円筒部１１２に対する押付力によって固定されて回転不可能となり、土台部１１に固定されることになる。
【００４４】
次に、上述のようにして、複数の壁材取付用部材１００を設けた上で、コンクリートを打設することにより、コンクリート材２３を形成する。具体的には任意であるが、例えば、コンクリート材２３の上面と壁材取付用部材１００の突出部１２の露出部１２１の上面とが一致する（つまり、各上面が同じ高さになる）ように、コンクリート材２３を形成する。特に、図３に示すように、壁材取付用部材１００の突出部１２の露出部１２１の上面がコンクリート材２３に覆われずに当該コンクリート材２３の上方（＋Ｚ方向）の空間に露出するようにコンクリート材２３を形成する。このようにして、図２及び図３に示すように、複数の壁材取付用部材１００が設けられた状態のスラブ２００を形成する。
【００４５】
次に、図１の壁材固定具４００をスラブ２００に固定する。具体的には任意であるが、例えば、１個の壁材固定具４００を図２及び図３に示す複数の壁材取付用部材１００の露出部１２１上に架けわたした上で、公知の手法（例えば、溶接、又はネジ止め等）で壁材固定具４００を壁材取付用部材１００の露出部１２１に固定する。
【００４６】
次に、スラブ２００に固定された壁材固定具４００に壁材３００を取り付ける。具体的には任意であるが、例えば、公知の手法（例えば、ネジ止め等）で壁材固定具４００に壁材３００を取り付ける。このようにして、壁材３００がスラブ２００に取り付けられることになる。これにて、壁材３００の取り付けを終了する。
【００４７】
（本実施の形態の効果）
本実施の形態によれば、土台部１１を設置土台２１に対して設置できるので、スラブ筋２２を施工済であるか否かに関わらず壁材取付用部材１００を施工することができ、施工タイミングの自由度を向上させることが可能となる。特に、スラブ筋２２が施工されていない状態で壁材取付用部材１００の施工を行うことができるので、施工スペースを広くとることができ、施工作業の危険性を低下させることが可能となる。また、スラブ筋２２が邪魔になることを防止できるので、施工の手間を削減することが可能となる。また、施工の手間を削減することができるので、施工作業の作業時間を短縮することができ、施工費用を削減することが可能となる。
【００４８】
また、コンクリート材２３と露出部１２１との相互間の高さ関係を調整することができるので、コンクリート材２３と露出部１２１との相互間の高さを容易に一致させることができ、壁材取付用部材１００の施工性を一層向上させることが可能となる。
【００４９】
また、鉛直断面視Ｌ字型の壁材固定具４００を用いて壁材３００を取り付けることができるので、壁材３００の取付強度を向上させることが可能となる。
【００５０】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００５２】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。
【００５３】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００５４】
（壁材取付用部材の施工について）
また、上記実施の形態においては、壁材取付用部材１００の土台部１１を設置土台２１に設置した後に、スラブ筋２２を配筋し、この後に、壁材取付用部材１００の突出部１２を土台部１１に取り付ける場合について説明したが、これに限らず、壁材取付用部材１００の土台部１１、壁材取付用部材１００の突出部１２、及びスラブ筋２２の施工順序を任意に入れ替えてもよい。例えば、土台部１１を設置し、この土台部１１に突出部１２を取り付けた後に、スラブ筋２２を配筋してもよい。また、例えば、スラブ筋２２を配筋した後に、土台部１１を設置し、この土台部１１に突出部１２を取り付けてもよい。
【００５５】
（土台部及び突出部について）
また、上記実施の形態の土台部１１の円筒部１１２の構成と、突出部１２のボルト部１２２の構成とを相互に入れ替えてもよい。つまり、土台部１１側をボルト構造（つまり、ボルト部１２２の如き構造）にし、突出部１２側を当該ボルト構造と螺合する円筒部構造（円筒部１１２の如き構造）にしてもよい。
【００５６】
（露出部について）
また、上記実施の形態の露出部１２１を、矩形形状以外の任意の形状（例えば、円形、楕円形、三角形等）にしてもよい。
【００５７】
（コンクリート材と露出部について）
また、上記実施の形態では、露出部１２１の上面とコンクリート材２３の上面との高さを一致させる場合について説明したが、これに限らず、露出部１２１の上面とコンクリート材２３の上面とを相互に異なる高さにしてもよい。つまり、露出部１２１の上面がコンクリート材２３の上面よりも下方（−Ｚ方向）に設けられるように施工したり、あるいは、上方（＋Ｚ方向）に設けられるように施工したりしてもよい。
【００５８】
（付記）
付記１の壁材取付用部材は、スラブ筋よりも下方に位置する設置土台に対して設置可能な土台部と、前記土台部に対して上方に突出するように取り付け可能な突出部と、を備え、前記突出部は、前記スラブ筋を覆うスラブコンクリートの上方の空間側に露出する露出部であって、壁材を取付可能な露出部を有する。
【００５９】
付記２の壁材取付用部材は、付記１に記載の壁材取付用部材において、前記露出部と前記土台部との距離を調節可能である。
【００６０】
付記３の壁材取付用部材は、付記１又は２に記載の壁材取付用部材において、前記露出部は平板であって、当該平板に対して鉛直断面視Ｌ字型の壁材固定具を介して壁材を取付可能である。
【００６１】
（付記の効果）
付記１に記載の壁材取付用部材によれば、土台部を設置土台に対して設置できるので、スラブ筋を施工済であるか否かに関わらず壁材取付用部材を施工することができ、施工タイミングの自由度を向上させることが可能となる。特に、スラブ筋が施工されていない状態で壁材取付用部材の施工を行うことができるので、施工スペースを広くとることができ、施工作業の危険性を低下させることが可能となる。また、スラブ筋が邪魔になることを防止できるので、施工の手間を削減することが可能となる。また、施工の手間を削減することができるので、施工作業の作業時間を短縮することができ、施工費用を削減することが可能となる。
【００６２】
付記２に記載の壁材取付用部材によれば、スラブコンクリートと露出部との相互間の高さ関係を調整することができるので、スラブコンクリートと露出部との相互間の高さを容易に一致させることができ、壁材取付用部材の施工性を一層向上させることが可能となる。
【００６３】
付記３に記載の壁材取付用部材によれば、鉛直断面視Ｌ字型の壁材固定具を用いて壁材を取り付けることができるので、壁材の取付強度を向上させることが可能となる。
【符号の説明】
【００６４】
１１  土台部
１２  突出部
１３  ナット部
１３ａ  螺合孔
２１  設置土台
２２  スラブ筋
２３  コンクリート材
１００  壁材取付用部材
１１１  基部
１１２  円筒部
１１２ａ  螺合中空部
１２１  露出部
１２２  ボルト部
２００  スラブ
３００  壁材
４００  壁材固定具
【図１】
2019023413.tif 000003
【図２】
2019023413.tif 000004
【図３】
2019023413.tif 000005
【図４】
2019023413.tif 000006